(57)【特許請求の範囲】
【請求項１】
紙材料からなる側壁の両端に、端壁および分割側壁が順次、連設され、一方の前記分割側壁の前記端壁が連設されている一端とは反対側の他端には仕切り板が連設され、該仕切り板の前記分割側壁が連設されている一端とは反対側の他端には係止片が連設され、そして、前記分割側壁を重ね合わせて糊着することにより周壁を形成し、前記仕切り板を前記側壁へ向けて内側に折り曲げるとともに前記係止片を前記側壁内面に沿うように折り曲げてなる包装箱において、
前記仕切り板に、前記分割側壁との折目線に沿って紙材料の剛性を低下させた低剛性部を設け、該低剛性部の幅を１０ｍｍ〜２０ｍｍの範囲内としたことを特徴とする包装箱。
【請求項２】
前記係止片の先端は、前記包装箱の組み立て時に前記側壁と前記端壁との折目線内側に当接することを特徴とする請求項１に記載の包装箱。
【発明の詳細な説明】
【０００１】
【発明の属する技術分野】
本発明は、例えば、ペットボトルなどを収容して包装する包装箱に関するものである。
【０００２】
【従来の技術】
図７，８に示す従来の包装箱１００は、ダンボールなどの紙材料からなる矩形状の箱であって、側壁１１の両端に、端壁１２ａ，ｂおよび分割側壁１３ａ，ｂが順次、連設されている。前記側壁１１の上端及び下端には外フラップ１４ａ，ｂが設けられている。また、前記端壁１２ａ，ｂの上端及び下端には内フラップ１５ａ，ｂ，ｃ，ｄがそれぞれ設けられており、前記分割側壁１３ａ，ｂの上端及び下端には外フラップ１６ａ，ｂ，ｃ，ｄがそれぞれ設けられている。
【０００３】
また、前記分割側壁１３ａの前記端壁１２ａが連設されている一端とは反対側の他端には、仕切り板１７が連設されている。さらに、前記仕切り板１７の前記分割側壁１３ａが連設されている一端とは反対側の他端には、係止片１８が連設されている。
【０００４】
そして、図８に示すように、分割側壁１３ａ，ｂを重ねて糊着することにより周壁を形成し、次に、内フラップ１５ｂ，ｄを水平方向へ折り曲げ、外フラップ１４ｂおよび外フラップ１６ｂ、ｄを順次水平方向へ折り曲げて底壁を形成する。そして、仕切り板１７を側壁１１へ向けて内側に折り曲げ、係止片１８を側壁１１内面に沿うように折り曲げるとともに側壁１１に糊着して前記仕切り板１７を固定する。
【０００５】
このように組立られた包装箱１にペットボトルなどを収納し、内フラップ１５ａ，ｃを水平方向へ折り曲げ、その後で外フラップ１４ａおよび外フラップ１６ａ，ｃを順次水平方向へ折り曲げて天壁を形成して包装箱１を閉塞する。
【０００６】
【発明が解決しようとする課題】
しかしながら、前記包装箱では、周壁を形成するときに分割側壁１３ａ，ｂの接合ズレが生じると、図４に示すように、仕切り板１７の先端が、例えば、上方にずれた位置で側壁１１に固定される場合がある。このとき、天壁を形成するために外フラップ１４ａを水平方向に折り曲げると、外フラップ１４ａが仕切り板１７先端に当接するので包装箱１を閉塞できないという問題があった。
【０００７】
そこで、本発明は、接合ズレによる仕切り板の位置ずれが生じた場合でも閉塞できる包装箱を提供することを課題とする。
【０００８】
【課題を解決するための手段】
本発明は、前記課題を解決するための手段として、紙材料からなる側壁の両端に、端壁および分割側壁が順次、連設され、一方の前記分割側壁の前記端壁が連設されている一端とは反対側の他端には仕切り板が連設され、該仕切り板の前記分割側壁が連設されている一端とは反対側の他端には係止片が連設され、そして、前記分割側壁を重ね合わせて糊着することにより周壁を形成し、前記仕切り板を前記側壁へ向けて内側に折り曲げるとともに前記係止片を前記側壁内面に沿うように折り曲げてなる包装箱において、前記仕切り板に、前記分割側壁との折目線に沿って紙材料の剛性を低下させた低剛性部を設け、該低剛性部の幅を１０ｍｍ〜２０ｍｍの範囲内としたものである。
【０００９】
前記発明では、分割側壁との折目線に沿って紙材料の剛性を低下させた低剛性部を仕切り板に設けたので、仕切り板先端が上方または下方にずれた位置で分割側壁が接合されたとしても、側壁の上端または下端に設けられた外フラップを水平方向へ折り曲げることにより仕切り板先端部分を包装箱内側に押し込み、包装箱を閉塞することができる。
【００１１】
前記係止片の先端は、前記包装箱の組み立て時に前記側壁と前記端壁との折目線内側に当接することが好ましい。これにより、仕切り板を側壁に対して所定の位置に支持することができる。
【００１２】
【発明の実施の形態】
以下、本発明の実施の形態を添付図面にしたがって説明する。
【００１３】
図１，２は、本発明に係る包装箱１であって、前記図７，８の従来の包装箱１００とは、仕切り板１７の基端部形状と、係止片１８を側壁１１内面に糊着しないこと以外は、実質的に同一であるので対応する部分には同一符号を付して説明を省略する。
【００１４】
前記仕切り板１７には、前記分割側壁１３ａとの折目線２に沿っており、湾曲部３ａを有する幅広押し部３（低剛性部）が施されている。この幅広押し部３は、図３（ａ）に示すように、包装箱１の製造時に、木製上型２０下面に設けられた板状コルク２１を紙材料１ａに押し当て、図３（ｂ）に示すように、紙材料１ａが押し潰されて形成される。この板状コルク２１は、前記折目線２を形成する突起部２２に沿って設けられている。なお、前記板状コルク２１の幅ｗは、１０ｍｍ〜２０ｍｍの範囲内であることが好ましい。
【００１５】
そして、図２に示すように、分割側壁１３ａ，ｂを重ねて糊着することにより周壁を形成し、次に、内フラップ１５ｂ，ｄを水平方向へ折り曲げ、外フラップ１４ｂおよび外フラップ１６ｂ、ｄを順次水平方向へ折り曲げて底壁を形成する。そして、仕切り板１７を側壁１１へ向けて内側に折り曲げるとともに係止片１８を側壁１１内面に沿うように折り曲げる。また、前記外フラップ１６ｂ、ｄおよび外フラップ１６ａ，ｃは、分割側壁１３ａ，ｂを重ねて糊着するときに、一体に貼り合わされている。
【００１６】
このように組立られた包装箱１にペットボトルなどを収納する場合、包装箱１の仕切り板１７で仕切られた片側にペットボトルを収納し、仕切り板１７を側壁１１に対して直角になるように手で保持しながらもう一方の側にペットボトルを収納する。このとき、仕切り板１７は、従来の包装箱の仕切り板のように側壁１１に糊着されていないので、ペットボトルを包装箱１に収納する際に包装箱１に挿入しやすくなる。そして、内フラップ１５ａ，ｃを水平方向へ折り曲げ、その後で外フラップ１４ａおよび外フラップ１６ａ，ｃを順次水平方向へ折り曲げて天壁を形成する。このとき、仕切り板１７が天壁および底壁中央部に位置するので包装箱１の強度が向上し、例えば、包装箱１を積み重ねた場合でも箱がつぶれることがなくなる。
【００１７】
次に、前記構成からなる包装箱１の作用について説明する。
【００１８】
包装箱１の周壁を形成する際に、分割側壁１３ａ，ｂがずれた状態で糊着されると、図４に示すように、仕切り板１７の先端が上方にずれた位置に位置する場合がある。このとき、仕切り板１７の基端部には幅広押し部３が形成されて剛性が弱くなっているので、外フラップ１４ａを水平方向へ折り曲げて天壁を形成するときに、図４中、２点鎖線で示すように、仕切り板１７を下方に押し込むことができる。また、仕切り板１７の先端部分が下方にずれた位置に位置する場合、包装箱１の底壁を形成する際に、外フラップ１４ｂを水平方向へ折り曲げることにより、仕切り板１７を包装箱１内側に押し込むことができる。
【００１９】
前記実施形態の変形例として、前記係止片１８の代わりに、図５に示すように、包装箱１の組み立て時に先端が前記側壁１１と前記端壁１２ａとの折目線４に当接する係止片１８’を設けてもよい。これにより、仕切り板１７が、側壁１１に対して常に直角である所定の位置に支持することができる。
【００２１】
また、前記実施形態のさらに他の変形例として、板状コルク２１により紙材料１ａを押し潰して幅広押し部３を設ける代わりに、前記折目線２を形成する突起部２２に沿って設けられた複数のミシン刃などを紙材料１ａに押し当てることにより紙材料１ａの一部を破断させて低剛性部を形成してもよい。
【００２２】
また、前記実施形態のさらに他の変形例として、図６に示すように、係止片１８”を仕切り板１７の先端上部に設け、側壁１１、端壁１２ａ，ｂ、分割側壁１３ａ，ｂおよび仕切り板１７の裏ライナに、包装箱１を開梱するための切離帯５を貼着してもよい。この切離帯５は、段ボール紙を横方向に破断するもので、一面に粘着剤が塗布されたＰＰ製のテープが好ましい。また、前記側壁１１の中央部には、前記切離帯５の切り離し用切目６が設けられている。また、前記仕切り板１７の先端下方には、ユーザが切り離し用切目６を介して前記切離帯５を切り離す際に、ユーザの指先が仕切り板１７の先端部分に当らないようにするための切欠き７が設けられている。これにより、ユーザは、包装箱１の上部を下部から切り離して、包装箱１内に収容したペットボトルなどの収容物を展示することができる。
【００２３】
【発明の効果】
以上の説明から明らかなように、本発明によれば、紙材料からなる側壁の両端に、端壁および分割側壁が順次、連設され、一方の分割側壁の端壁が連設されている一端とは反対側の他端には仕切り板が連設され、該仕切り板の分割側壁が連設されている一端とは反対側の他端には係止片が連設され、そして、分割側壁を重ねて糊着することにより周壁を形成し、仕切り板を側壁へ向けて内側に折り曲げるとともに係止片を側壁内面に沿うように折り曲げてなる包装箱において、仕切り板に、分割側壁との折目線に沿って紙材料の剛性を低下させた低剛性部を設けたので、仕切り板先端がずれた場合、仕切り板先端部分を包装箱内側に押し込むことができ包装箱を閉塞できないということがなくなる。これにより、包装箱の歩留りを低減することができる。
【００２４】
特に、係止片の先端を、包装箱の組み立て時に側壁と端壁との折目線内側に当接させたことにより、仕切り板を側壁に対して所定の位置に支持することができる。
【図面の簡単な説明】
【図１】本発明の実施形態に係る包装箱の展開図。
【図２】図１の包装箱を組み立てた状態を示した斜視図。
【図３】図１の幅広押し部形成する様子を示した断面図。
【図４】図２において仕切り板がずれた位置に位置する場合を示した一部拡大斜視図。
【図５】図１の包装箱の変形例を示した斜視図。
【図６】図１の包装箱の変形例を示した展開図。
【図７】従来の包装箱を示した展開図。
【図８】図７の包装箱を組み立てた状態を示した斜視図。
【符号の説明】
１…包装箱、２…折目線、３…幅広押し部（低剛性部）、１１…側壁、
１２ａ，ｂ…端壁、１３ａ，ｂ…分割側壁、１７…仕切り板、１８…係止片。
【図１】
0003581126.tif 000002
【図２】
0003581126.tif 000003
【図３】
0003581126.tif 000004
【図４】
0003581126.tif 000005
【図５】
0003581126.tif 000006
【図６】
0003581126.tif 000007
【図７】
0003581126.tif 000008
【図８】
0003581126.tif 000009